(57)【要約】【課題】監視通報システムにおいて、データ取得親機が監視対象の異常を検知した場合に次のデータ共有動作を迅速に行う。【解決手段】データ取得親局１００（第１の監視通報装置）は、監視対象機器から監視データを取得してデータ取得子局２００（第２の監視通報装置）との間で公衆回線を介して監視データを共有する。監視対象機器の異常を検知した場合、異常検知データをデータ取得子局２００に公衆回線を介して送る。データ取得子局２００は、データ取得子局２００から送られてきた異常検知データに基づいて公衆回線を介して通報対象４００に対して通報を行う。【選択図】図１
2019153196.tif 000002
【特許請求の範囲】
【請求項１】
第１の監視通報装置と第２の監視通報装置と通報対象装置とが公衆回線を介して接続された監視通報システムであって、
前記第１の監視通報装置は、
監視対象機器から監視データを取得して前記第２の監視通報装置との間で前記公衆回線を介して前記監視データを共有し、
前記監視対象機器の異常を検知した場合、異常検知データを前記第２の監視通報装置に前記公衆回線を介して送り、
前記第２の監視通報装置は、
前記第１の監視通報装置から送られてきた前記異常検知データに基づいて、前記公衆回線を介して前記通報対象装置に対して通報を行うことを特徴とする監視通報システム。
【請求項２】
前記第１の監視通報装置は、
前記第２の監視通報装置に対して一定間隔で前記公衆回線によるダイヤルアップ接続を行うことにより、前記監視データを共有することを特徴とする請求項１に記載の監視通報システム。
【請求項３】
前記第２の監視通報装置は、
前記第１の監視通報装置から送られてきた前記異常検知データを取得し、
前記異常検知データを共有した後に、前記通報対象装置に対して前記通報を行うことを特徴とする請求項１に記載の監視通報システム。
【請求項４】
前記公衆回線には更に第３の監視通報装置が接続されており、
前記第１の監視通報装置は、
前記公衆回線を介して、前記第２の監視通報装置及び前記第３の監視通報装置と定期的に前記監視データを共有することを特徴とする請求項１に記載の監視通報システム。
【請求項５】
前記第１の監視通報装置は、
前記第２の監視通報装置が前記通報対象装置に対して前記通報を行っている間に、前記第３の監視通報装置との間で前記公衆回線を介して前記監視データを共有することを特徴とする請求項４に記載の監視通報システム。
【請求項６】
前記第１の監視通報装置は、
前記監視対象機器がある現場に設置されることを特徴とする請求項１に記載の監視通報システム。
【発明の詳細な説明】
【技術分野】
【０００１】
本発明は、監視通報システムに関する。
【背景技術】
【０００２】
現場に設置した監視通報装置に監視対象のデータを取り込んで、通信で遠隔地に監視対象の状態を転送して表示する監視通報システムが知られている。例えば、監視通報システムでは、上下水道の給水及び配水設備、産業用の生産設備、販売データ収集設備等の遠隔監視制御を行って、データの転送や利用者に対する警報の通報を行う。
【０００３】
このような監視通報システムでは、通信コストを低減するために、常時通信回線ではなく公衆電話回線などの通信時のみ回線接続を行う都度通信回線を使用する場合も多い。
【０００４】
都度通信回線を使用する監視通報システムは、現場で異常が発生したときや外部からのアクセスがあったときにのみ通信機能を有効にして、現場の状況や収集しているデータを監視通報装置に伝送したり利用者に対して通知を行う。
【０００５】
ＡＤＳＬ（ａｓｙｍｍｅｔｒｉｃ  ｄｉｇｉｔａｌ  ｓｕｂｓｃｒｉｂｅｒ  ｌｉｎｅ）などのネットワーク回線サービスが提供される以前から、公衆回線を利用してその都度通信を行う監視システムが知られている（特許文献１参照）。
【先行技術文献】
【特許文献】
【０００６】
【特許文献１】特開２０００−２８６９９８号公報
【発明の概要】
【発明が解決しようとする課題】
【０００７】
監視通報システムにおいては、端末間でデータ取得親機とデータ取得子機を設定し、監視データの共有を行うことで中央サーバを設置することなく、何れかの端末が故障した場合にデータの欠損を防ぐ。
【０００８】
しかし、公衆回線監視通報システムにおいて、端末間の接続は１対１の都度通信により行われる。このため、故障通報動作とデータ共有動作が重なった場合に、公衆回線監視通報システムのデータ取得親機はデータ共有動作終了後に通報動作を実施する。
【０００９】
しかし、公衆回線を利用した音声通報動作は通報完了までに所定の時間（例えば、１０分以上）を必要とする場合もある。このため、データ取得親機が監視対象の異常を検知した場合に次のデータ共有動作が迅速に開始されない恐れがある。
【００１０】
本発明の目的は、監視通報システムにおいて、データ取得親機が監視対象の異常を検知した場合に次のデータ共有動作を迅速に行うことにある。
【課題を解決するための手段】
【００１１】
本発明の一態様の監視通報システムは、第１の監視通報装置と第２の監視通報装置と通報対象装置とが公衆回線を介して接続された監視通報システムであって、前記第１の監視通報装置は、監視対象機器から監視データを取得して前記第２の監視通報装置との間で前記公衆回線を介して前記監視データを共有し、前記監視対象機器の異常を検知した場合、異常検知データを前記第２の監視通報装置に前記公衆回線を介して送り、前記第２の監視通報装置は、前記第１の監視通報装置から送られてきた前記異常検知データに基づいて、前記公衆回線を介して前記通報対象装置に対して通報を行うことを特徴とする。
【発明の効果】
【００１２】
本発明の一態様によれば、監視通報システムにおいて、データ取得親機が監視対象の異常を検知した場合に次のデータ共有動作を迅速に行うことができる。
【図面の簡単な説明】
【００１３】
【図１】実施例の監視通報システム全体の構成図である。
【図２】データ共有時のデータ取得親機の処理内容を示す図である。
【図３】データ共有中のデータ取得子機の処理内容を示す図である。
【図４】データ共有中にデータ取得親局が監視対象の異常を検出した場合のデータ取得親機の処理内容を示す図である。
【図５】データ共有中にデータ取得親局が監視対象の異常を検出した場合のデータ取得子機の処理内容を示す図である。
【発明を実施するための形態】
【００１４】
監視通報システムとして、公衆電話回線の他に携帯電話回線を利用した監視通報システムが存在する。携帯電話回線は電波を利用するため他の通信回線と異なり、現場に電話線などの固定の通信線を施設する必要がない。携帯電話回線を利用した監視通報システムは、導入が非常に容易であり、車載の設備のような移動体での通信が可能であり、通信費が一般に固定回線よりも安価である。このため、携帯電話回線を利用した監視通報システムは、近年需要が拡大している。現在は、安価なネットワーク回線サービスの普及により公衆回線を利用した監視システムの需要は減少している。
【００１５】
しかし、音声による通報機能は利用者の携帯電話に直接通報を行える。また、上下水道の給水、配水設備等のような設備は山奥などに設置されていることも多い。このため、常時通信回線や携帯電話回線の提供範囲外であることも少なくない。このような状況の下、公衆回線を用いた都度通信による監視通報システムは、現在でも市場から一定の需要を得ている。
【００１６】
そこで、実施形態の監視通報システムでは、通信コストを低減するために、常時通信回線ではなく公衆電話回線などの通信時のみ回線接続を行う都度通信回線を使用する。
【００１７】
実施形態の監視通報システムでは、監視対象の監視データを記録するデータサーバ機能を持つ公衆回線監視通報システムにおいて、データ取得親機とデータ取得子機を設定し、データ取得親機からデータ取得子機に対して一定間隔で公衆回線によるダイヤルアップ接続を行うことによりデータの共有を行う。
【００１８】
この際、データ取得親局が監視対象の異常を検知すると、データ取得子機がデータ取得親機の異常検知データを取得し、データ共有動作の終了後に、データ取得子機がデータ取得親機に替わり通報動作を行う。これにより、迅速なデータ共有動作の継続と通報動作を実現する。
以下、実施例を図面を用いて説明する。
【実施例】
【００１９】
図１を参照して、実施例の監視通報システム全体の構成について説明する。
図１に示すように、監視通報システムは取水場、浄水場、ポンプ場などの上下水道関連施設に設置されたデータ取得親機１００、データ取得子機２００、データ取得子機３００及び通報対象（通報対象機器）４００を有する。ここで、データ取得親機１００、データ取得子機２００及びデータ取得子機３００は、それぞれ、第１の監視通報装置、第２の監視通報装置及び第３の監視通報装置を構成する。
【００２０】
データ取得親機１００は、上下水道機器等のある現場に設置される装置であり、監視対象となる機器に接続され、監視対象機器よりデータを取得する。例えば、ポンプ装置等の設備において異常が生じた場合、異常を示すデータがデータ取得親機１００に入力される。
【００２１】
データ取得親機１００とデータ取得子機２００とデータ取得子機３００と通報対象４００との間は、公衆回線にて接続される。データ取得親機１００は、ＣＰＵ上で動作するデータ共有プロセス１１０、監視プロセス１２０、通報プロセス１３０、データ集計プロセス１４０及びアナログモデム１５０を有する。
【００２２】
データ取得子機２００は、ＣＰＵ上で動作するデータ共有プロセス２１０、監視プロセス２２０、通報プロセス２３０、データ集計プロセス２４０及びアナログモデム２５０を有する。データ取得子機３００は、ＣＰＵ上で動作するデータ共有プロセス３１０、監視プロセス３２０、通報プロセス３３０、データ集計プロセス３４０及びアナログモデム３５０を有する。
【００２３】
図１に示す監視通報システムは、データ取得親機１００が定期的にデータ取得子機２００及びデータ取得子機３００とデータ共有動作を行い、データ取得親機１００が監視対象の異常を検知した場合には通報対象４００へ通報動作を行う。
【００２４】
以下、図２〜図５を参照して、各装置の処理内容を説明する。
【００２５】
図２を参照して、データ共有時のデータ取得親局１００の処理内容について説明する。
図２に示すように、データ取得親局１００は、ＣＰＵ上で動作するデータ共有プロセス１１０がデータ同期タイミングを確認すると（Ｓ１０１）、ＣＰＵ内に設定されたデータ取得順番に従い、アナログモデム１５０を経由してデータ取得子局２００へと通信を行う（Ｓ１０２）。データ取得子局２００との通信が確立すると、データ取得親局１００はデータ取得子局２００から監視データを取得し（Ｓ１０３）、データ集計プロセス１４０に保存する（Ｓ１０４）。ここで、データ集計プロセス１４０は、例えば、フラッシュメモリ等のメモリで構成される。
【００２６】
データ取得親局１００は、データ取得子局２００とのデータ共有動作完了後、データ取得子局２００と同様に、データ取得子局３００とのデータ共有動作を行う。データ取得親局１００は、データ取得子局２００及びデータ取得子局３００に対して一定間隔で公衆回線によるダイヤルアップ接続を行うことにより監視データを共有する。
【００２７】
図３を参照して、データ共有時のデータ取得子局２００の処理内容について説明する。
図３に示すように、データ取得子局２００とデータ取得親局１００との通信が確立すると（Ｓ２０１）、ＣＰＵ上で動作するデータ共有プロセス２１０は、データ集計プロセス２４０から監視データを読出し（Ｓ２０２）、データ取得親局１００に対して監視データを送信する（Ｓ２０３）。
【００２８】
図４を参照して、データ共有動作中にデータ取得親局１００が監視対象の異常を検出した場合のデータ取得親局１００の処理内容について説明する。
図４に示すように、データ取得親局１００は、データ取得子局２００とのデータ共有動作中（Ｓ１０１、Ｓ１０２、Ｓ１０３、Ｓ１０４）に、ＣＰＵ上で動作する監視プロセス１２０が監視対象の異常を検出すると（Ｓ１０５）、データ共有プロセス１１０はデータ取得子局２００に対して監視対象の異常データの送信（Ｓ１０６）を行う。
【００２９】
データ取得親局１００は、データ取得子局２００とのデータ共有動作完了後、通報対象４００に対する通報を行わずに、データ取得子局２００と同様に、データ取得子局３００とのデータ共有動作を行う。
【００３０】
図５を参照して、データ共有動作中にデータ取得親局１００が監視対象の異常を検出した場合のデータ取得子局２００の処理内容について説明する。
図５に示すように、データ取得子局２００は、データ取得子局１００とのデータ共有動作中（Ｓ２０１、Ｓ２０２、Ｓ２０３）に、データ取得親局１００から監視対象の異常データを受信（Ｓ２０４）した場合、データ共有動作の終了後、通報プロセス２３０から通報対象４００に対する通報を行う（Ｓ２０５）。
【００３１】
上述のように、データ取得親局１００は、公衆回線を介してデータ取得子局２００及びデータ取得子局３００と定期的に監視データを共有する。そして、データ取得親局１００は、データ取得子局２００が通報対象４００に対して通報を行っている間に、データ取得子局３００との間で公衆回線を介して監視データを共有する。よって、データ取得親機が監視対象の異常を検知した場合に次のデータ共有動作を迅速に行うことができる。
【符号の説明】
【００３２】
１００  データ取得親機
２００  データ取得子機
３００  データ取得子機
４００  通報対象
１１０  データ共有プロセス
１２０  監視プロセス
１３０  通報プロセス
１４０  データ集計プロセス
１５０  アナログモデム
２１０  データ共有プロセス
２２０  監視プロセス
２３０  通報プロセス
２４０  データ集計プロセス
２５０  アナログモデム
３１０  データ共有プロセス
３２０  監視プロセス
３３０  通報プロセス
３４０  データ集計プロセス
３５０  アナログモデム
【図１】
2019153196.tif 000003
【図２】
2019153196.tif 000004
【図３】
2019153196.tif 000005
【図４】
2019153196.tif 000006
【図５】
2019153196.tif 000007